(57)【特許請求の範囲】
【請求項１】
浴槽水を追焚循環路を介して追焚用加熱器に循環させて加熱する風呂追焚機能の他に、上水道等の水道から供給されてくる水を給湯用加熱器に通して加熱供給する温水給湯機能を有する給湯機能付風呂釜装置であって、洗濯注湯ユニットと組み合わせることで、浴槽の残水を前記追焚循環路から洗濯注湯ユニットの残水取込通路を介して洗濯注湯路に導き、また前記給湯用加熱器からの温水を洗濯注湯ユニットの温水取込通路を介して前記洗濯注湯路に導くことができるようになされた装置において、浴槽への湯張りの際には、前記給湯用加熱器からの温水を湯張り回路を介して前記追焚循環路に導いて浴槽内に搬送する他、前記給湯用加熱器からの温水を前記洗濯注湯ユニットの温水取込通路と残水取込通路を経て前記追焚循環路に導いて浴槽内に搬送するようにしたことを特徴とする給湯機能付風呂釜装置。
【請求項２】
給湯用加熱器からの温水を追焚循環路に導く湯張り回路を一対設け、追焚用加熱器を挟んで一方は浴槽往管に、他方は浴槽戻管に接続してあることを特徴とする請求項１に記載の給湯機能付風呂釜装置。
【発明の詳細な説明】
【０００１】
【発明の属する技術分野】
本発明は給湯機能付風呂釜装置に関し、詳しくは洗濯注湯ユニットと組み合わせることによって、浴槽の残水を洗濯機に搬送することができるようにした給湯機能付風呂釜装置に関する。
【０００２】
【従来の技術】
従来、浴槽水の追い焚きを行う方法として、浴槽水を追焚循環路を通して追焚用加熱器に循環して加熱を行う風呂釜装置が提供されている。そしてこのような風呂釜装置が給湯用加熱器も備えた給湯機能付風呂釜装置となっている場合においては、浴槽への自動湯張り運転は前記給湯用加熱器からの温水を前記追焚循環路に導いて、その追焚循環路から浴槽に導入するように構成したものが多く提供されている。即ち、給湯用加熱器に続く給湯路から湯張り回路を分岐してこれを追焚循環路に接続した構成とし、風呂の自動湯張り運転の際には、前記湯張り回路を開放することで給湯用加熱器から供給されてくる温水を湯張り回路から追焚循環路を介して浴槽に導入するのである。
一方、浴槽の残水を洗濯に用いる要望があることから、給湯機能付風呂釜装置に対して組み合わされて使用される洗濯注湯ユニットも提供されている。この洗濯注湯ユニットには、浴槽の残水を追焚循環路から取り込む残水取込通路や、浴槽に残水が無い場合に給湯用加熱器からの温水を取り込む温水取込通路を備え、また残水取込通路や温水取込通路から取り込んだ残水や温水を洗濯機に搬送するための洗濯注湯路を備えている。
【０００３】
【発明が解決しようとする課題】
ところが、市場の自動湯張り時間の短縮要求は強いものが有り、上記従来の給湯機能付風呂釜装置では、この自動湯張り時間の短縮要求を十分に満足させるまでには至っていなかった。
一方、給湯機能付風呂釜装置に洗濯注湯ユニットを組み合わせることができるようにしたものにおいても、洗濯注湯ユニットに構成させている通路は何れも洗濯機へ残水又は温水を搬送するためにだけ機能するように構成されており、前記浴槽への自動湯張りにかかる時間を短縮化するといったことには全く利用されていなかった。
【０００４】
そこで本発明は上記従来の給湯機能付風呂釜装置の欠点を解消し、洗濯注湯ユニットと組み合わせることができる給湯機能付風呂釜装置において、洗濯注湯ユニットを利用して浴槽への自動湯張りがよりスムーズにでき、湯張りに要する時間の短縮化を図ることができるものの提供を課題とする。
【０００５】
【課題を解決するための手段】
上記課題を解決するため、本発明の給湯機能付風呂釜装置は、浴槽水を追焚循環路を介して追焚用加熱器に循環させて加熱する風呂追焚機能の他に、上水道等の水道から供給されてくる水を給湯用加熱器に通して加熱供給する温水給湯機能を有する給湯機能付風呂釜装置であって、洗濯注湯ユニットと組み合わせることで、浴槽の残水を前記追焚循環路から洗濯注湯ユニットの残水取込通路を介して洗濯注湯路に導き、また前記給湯用加熱器からの温水を洗濯注湯ユニットの温水取込通路を介して前記洗濯注湯路に導くことができるようになされた装置において、浴槽への湯張りの際には、前記給湯用加熱器からの温水を湯張り回路を介して前記追焚循環路に導いて浴槽内に搬送する他、前記給湯用加熱器からの温水を前記洗濯注湯ユニットの温水取込通路と残水取込通路を経て前記追焚循環路に導いて浴槽内に搬送するようにしたことを第１の特徴としている。
また本発明の給湯機能付風呂釜装置は、上記第１の特徴に加えて、給湯用加熱器からの温水を追焚循環路に導く湯張り回路を一対設け、追焚用加熱器を挟んで一方は浴槽往管に、他方は浴槽戻管に接続してあることを第２の特徴としている。
【０００６】
上記第１の特徴によれば、浴槽への湯張りの際には、給湯用加熱器から出湯してくる温水は途中から湯張り回路を通って追焚循環路に入り、該追焚循環路から浴槽内に導入される。また更に給湯用加熱器から出湯してくる温水は給湯管を通って洗濯注湯ユニットの温水取込通路に入り、更に残水取込通路を経て追焚循環路に入り、浴槽内に導入される。即ち洗濯注湯ユニットが有する洗濯注湯のための通路を利用して、浴槽への湯張りの際に追焚循環路に対して温水を流入させる通路を増加させることができ、浴槽への湯張り流量を増大させて、湯張り時間の短縮化を図ることができる。
【０００７】
また上記第２の特徴によれば、第１の特徴による作用効果に加えて、給湯用加熱器からの温水は一対の湯張り回路を通って、追焚循環路の追焚用加熱器を挟んだ浴槽往管と浴槽戻管に流れ込み、更に浴槽に導入される。温水が一対の湯張り回路を通って、追焚循環路の浴槽往管と浴槽戻管との両方に流れ込むようにすることで、湯張り流量を一層増加させることができ、湯張り時間の一層の短縮化を図ることができる。
【０００８】
【発明の実施の形態】
以下、本発明の実施の形態を図面を参照しながら説明する。
図１は本発明の第１の実施形態に係る給湯機能付風呂釜装置の概略構成図、図２は浴槽の残水の取り入れに用いられる三方切換弁の切換位置を説明する図、図３は第２の実施形態に係る給湯機能付風呂釜装置の概略構成図である。
【０００９】
図１、図２を参照して、先ず第１の実施形態を説明する。
Ａは給湯機能付風呂釜装置で、この給湯機能付風呂釜装置Ａに対して洗濯注湯ユニットＢが組み合わされる。
【００１０】
給湯機能付風呂釜装置Ａには、浴槽１０の湯を加熱するための追焚用加熱器２０と、上水道等からの水を加熱して出湯する給湯用加熱器３０とがセットで設けられている。
前記追焚用加熱器２０は瞬間加熱式の加熱器で、図示しないバーナを備えている。該追焚用加熱器２０に対して前記浴槽１０から追焚循環路４０が設けられている。追焚循環路４０は、浴槽１０から追焚用加熱器２０へ浴槽水を流す浴槽往管４１と追焚用加熱器２０で加熱された浴槽水を浴槽へ戻す浴槽戻管４２とからなる。前記浴槽往管４１にはポンプ４３と水流スイッチ４４が設けられている。コントローラ１１０により風呂追い焚き運転が指令されると、前記ポンプ４３が駆動し、これによって水流スイッチ４４が追焚循環路４０内に水流を検出すると、追焚用加熱器２０での加熱が開始され、循環してくる浴槽水が熱交換加熱される。
【００１１】
前記給湯用加熱器３０には、上水道等の水道からの入水管５１と給湯用加熱器で得られた温水を給湯する給湯管５２が接続されている。
入水管５１の途中からは分岐給水管５３が分岐して設けられ、また給湯管５２の途中からは分岐給湯管５４が設けられている。
また前記給湯管５２から湯張り回路６１を前記追焚循環路４０の浴槽往管４１に接続している。前記湯張り回路６１には湯張り弁６２が設けられており、浴槽１０の湯張り運転の際には前記湯張り弁６２が開かれて、温水が追焚循環路４０に流れ込み、浴槽往管４１と浴槽戻管４２の両方から浴槽１０に導入される。
【００１２】
前記洗濯注湯ユニットＢには、残水取込通路７１と、温水取込通路７２と、非加熱水取込通路７３と、洗濯注湯路７４とが構成されている。
前記残水取込通路７１は浴槽１０から追焚循環路４０を介して浴槽の残水を取り込むための通路である。該残水取込通路７１は、洗濯注湯ユニットＢに構成された追焚循環路構成用通路７５に対して三方切換弁８１を介して接続されている。８２はゴミ等を除去するためのフィルターである。フィルター８２には圧力安全弁８２ａ、水抜栓８２ｂが設けられている。
前記追焚循環路構成用通路７５は、洗濯注湯ユニットＢが給湯機能付風呂釜装置Ａと組み合わされる際に、給湯機能付風呂釜装置Ａ側の追焚循環路４０の一部が取り除かれて、代わりに接続されることで、追焚循環路４０の一部となる。
【００１３】
前記温水取込通路７２は、洗濯注湯ユニットＢが給湯機能付風呂釜装置Ａと組み合わされる際に、給湯機能付風呂釜装置Ａ側の分岐給湯管５４と接続される。また前記非加熱水取込通路７３は、洗濯注湯ユニットＢが給湯機能付風呂釜装置Ａと組み合わされる際に、給湯機能付風呂釜装置Ａ側の分岐給水管５３と接続される。
前記温水取込通路７２と非加熱水取込通路７３は、弁機構９０及び接続通路７６を介して前記残水取込通路７１と合流するように接続し、この合流点から下流を共通の洗濯注湯路７４としている。
前記弁機構９０には、温水取込通路７２用に逆流抵抗体９１と注湯電磁弁９２とが、また非加熱水取込通路７３用に水ガバナ９３と注水電磁弁９４とが設けられ、更に共通の部材として、２つの逆止弁９５、９６と縁切弁９７が設けられている。
【００１４】
前記洗濯注湯路７４は、洗濯注湯ユニットＢが給湯機能付風呂釜装置Ａと組み合わされる際に、洗濯機１００側の搬送路１０１と接続される。８３は洗濯注湯路７４に設けられた水流スイッチである。
【００１５】
図２も参照して、使用者等によってリモコン１２０のスイッチを介して追い焚き運転が指令されると、コントローラ１１０により三方切換弁８１が図２の（Ａ）の切換位置とされ、ポンプ４３が駆動され、水流スイッチ４４のオンにより浴槽水の循環が確認されると追焚用加熱器２０の図示しないバーナの燃焼が開始される。これによって浴槽水は循環しながら加熱され、所定の設定浴槽温度になると追い焚き運転が停止される。
次に使用者等によってリモコン１２０のスイッチを介して浴槽１０の残水の搬送運転が指令されると、コントローラ１１０により三方切換弁８１が図２の（Ｂ）の切換位置とされ、ポンプ４３が駆動される。これによって浴槽１０の残水が追焚循環路４０を通って三方切換弁８１から残水取込通路７１に入り、更に洗濯注湯路７４から搬送路１０１を流れて洗濯機１００に注がれる。予め設定された一定量、或いは洗濯機１００内の水位が設定水位になると運転が停止される。なお、残水搬送運転が行われる都度、前記フィルター８２の逆洗運転を行うようにすることができる。この場合は、前記三方切換弁８１が図２の（Ｃ）の切換位置となり、弁機構９０の注水電磁弁９４が一定時間開放される。これによって非加熱水が分岐給水管５３、非加熱水取込通路７３を経て、更に接続通路７６から残水取込通路７１を通って、フィルター８２を逆洗浄する。
【００１６】
前記浴槽１０の残水の搬送運転において、浴槽１０の残水が途中で無くなった場合、或いは最初から無い場合には、水流スイッチ８３がこれを検出することになる。この場合には運転が温水搬送運転に切り換えられる。また浴槽１０に残水が最初から無いことがわかっている場合には、洗濯機１００への温水搬送運転がリモコン１２０のスイッチを介して指令されることになる。
温水搬送運転が指令されると、コントローラ１１０により三方切換弁８１が図２の（Ａ）の切換位置になされ、注湯電磁弁９２が開放される。また給湯用加熱器３０の図示しないバーナの燃焼が開始される。これによって、給湯用加熱器３０で加熱された温水が、分岐給湯管５４、温水取込通路７２、注湯電磁弁９２、接続通路７６を経て洗濯注湯路７４に流れ、搬送路１０１から洗濯機１００に注がれる。洗濯機１００に一定量が注がれ或いは洗濯機１００内の水位が所定の設定水位になることで、運転が停止される。
【００１７】
勿論、洗濯機１００へは非加熱水、即ち水を自動注水することもできる。リモコン１２０により洗濯機１００への注水スイッチをオンすることで、コントローラ１１０により三方切換弁８１が図２の（Ａ）の切換位置になされ、注水電磁弁９４が開放され、一定量若しくは設定水位になるまで洗濯機１００内に注水が行われる。
【００１８】
次に、浴槽１０への自動湯張りについて説明する。本発明では、浴槽１０への湯張りを、組み合わされた洗濯注湯ユニットＢに構成された通路７１、７２、７６をも利用して、浴槽１０への湯張りに要する時間の短縮化を図っている。
今、リモコン１２０等によって浴槽１０への自動湯張り運転のスイッチがオンされると、コントローラ１１０は湯張り回路６１の湯張り弁６２を開放すると共に、三方切換弁８１を図２の（Ｃ）の切換位置にして注湯電磁弁９２を開放する。そしてまた給湯用加熱器３０の図示しないバーナの燃焼を開始する。この場合の給湯温度は、例えば３８℃になるように予め設定されている。入水管５１から給湯用加熱器３０を経て出湯された温水の一部は給湯管５２から湯張り回路６１を通って追焚循環路４０（詳しくは浴槽往管４１）に流れ込み、更に浴槽往管４１と浴槽戻管４２の両方を通って浴槽１０内に導入される。更にまた前記給湯用加熱器３０を経て出湯された温水の残りは給湯管５２から分岐給湯管５４に入り、更に温水取込通路７２、注湯電磁弁９２、接続通路７６、残水取込通路７１、三方切換弁８１を経て追焚循環路４０に流れ込み、浴槽１０内に導入される。
以上のようにして、追焚循環路４０への流れ込み通路を増やすことで、追焚循環路４０のもつ十分な流量保有能力を利用して、浴槽１０への単位時間当たりの湯張り流量を増すことが可能となり、湯張り時間の短縮化を図ることができる。
【００１９】
図３を参照して本発明の第２の実施形態を説明する。
この例では、給湯管５２から追焚循環路４０への湯張り回路を、上記第１の実施形態における湯張り回路６１の他に、第２の湯張り回路６３を追加して設けている点において上記第１の実施形態と異なっている。第２の湯張り回路６３には湯張り弁６４が設けられている。
前記第１の湯張り回路６１は、追焚循環路４０の浴槽往管４１に接続され、第２の湯張り回路６３は浴槽戻管４２に接続されている。浴槽往管４１と浴槽戻管４２とは流量が期待できない追焚用加熱器２０を挟んで存在することから、その追焚用加熱器２０を挟んだ浴槽往管４１と浴槽戻管４２の両方にそれぞれ接続する湯張り回路６１、６３を一対設けることで、それぞれ浴槽往管４１と浴槽戻管４２とが持つ通水能力を十分利用して湯張りを行うことができ、湯張り時間の一層の短縮化を図ることができる。
【００２０】
【発明の効果】
本発明は以上の構成、作用からなり、請求項１に記載の給湯機能付風呂釜装置によれば、浴槽水を追焚循環路を介して追焚用加熱器に循環させて加熱する風呂追焚機能の他に、上水道等の水道から供給されてくる水を給湯用加熱器に通して加熱供給する温水給湯機能を有する給湯機能付風呂釜装置であって、洗濯注湯ユニットと組み合わせることで、浴槽の残水を前記追焚循環路から洗濯注湯ユニットの残水取込通路を介して洗濯注湯路に導き、また前記給湯用加熱器からの温水を洗濯注湯ユニットの温水取込通路を介して前記洗濯注湯路に導くことができるようになされた装置において、浴槽への湯張りの際には、前記給湯用加熱器からの温水を湯張り回路を介して前記追焚循環路に導いて浴槽内に搬送する他、前記給湯用加熱器からの温水を前記洗濯注湯ユニットの温水取込通路と残水取込通路を経て前記追焚循環路に導いて浴槽内に搬送するようにしたので、
浴槽への湯張りの際には、給湯用加熱器から出湯してくる温水を給湯機能付風呂釜装置にある湯張り回路を通して追焚循環路に流入させて浴槽内に導入する他に、洗濯注湯ユニットの通路も利用して追焚循環路に流入させて浴槽内に導入することができる。即ち、洗濯注湯ユニットが有する洗濯注湯のための通路を利用して、浴槽の湯張りの際に追焚循環路に対して温水を流入させる通路を増加させることができ、浴槽への湯張り流量を十分に増大させて、湯張り時間の短縮化を図ることができる。
また請求項２に記載の給湯機能付風呂釜装置によれば、上記請求項１に記載の構成による効果に加えて、給湯用加熱器からの温水を追焚循環路に導く湯張り回路を一対設け、追焚用加熱器を挟んで一方は浴槽往管に、他方は浴槽戻管に接続してあるので、
給湯用加熱器からの温水を追焚循環路の追焚用加熱器を挟んだ浴槽往管と浴槽戻管との両方に流れ込むようにすることができ、よって湯張り流量を一層増加させて、湯張り時間の一層の短縮化を図ることができる。
【図面の簡単な説明】
【図１】本発明の第１の実施形態に係る給湯機能付風呂釜装置の概略構成図である。
【図２】浴槽の残水の取り入れに用いられる三方切換弁の切換位置を説明する図である。
【図３】第２の実施形態に係る給湯機能付風呂釜装置の概略構成図である。
【符号の説明】
Ａ  給湯機能付風呂釜装置
Ｂ  洗濯注湯ユニット
１０  浴槽
２０  追焚用加熱器
３０  給湯用加熱器
４０  追焚循環路
４１  浴槽往管
４２  浴槽戻管
５１  入水管
５２  給湯管
５３  分岐給水管
５４  分岐給湯管
６１  湯張り回路
６２  湯張り弁
６３  第２の湯張り回路
６４  湯張り弁
７１  残水取込通路
７２  温水取込通路
７３  非加熱水取込通路
７４  洗濯注湯路
７５  追焚循環路構成用通路
７６  接続通路
８１  三方切換弁
９０  弁機構
９２  注湯電磁弁
１００  洗濯機
１０１  搬送路
１１０  コントローラ
１２０  リモコン
【図１】
0004106832.tif 000002
【図２】
0004106832.tif 000003
【図３】
0004106832.tif 000004